(57)【要約】      （修正有）【課題】試料容器の識別タグの十分な部分を識別するためのラボラトリ試料分配システムおよびラボラトリオートメーションシステムを提供する。【解決手段】１つまたは複数の試料容器１４５を搬送するいくつかの試料容器キャリア１４０のそれぞれが少なくとも１つの磁気的に活性な装置１４１を備え、前記試料容器キャリア１４０を支持する移送面１１０と、前記移送面１１０の下に静置された電磁作動装置１２０が前記試料容器キャリア１４０に磁力を加えることにより、前記移送面１１０の上部上の前記試料容器キャリア１４０を動かすよう回転面１３１の回転運動を引き起こす回転駆動装置１３２と、を備える回転装置１３０と、試料容器キャリア１４０が前記回転面１３１上に動くように前記電磁作動装置１２０と回転駆動装置１３２を制御する、ラボラトリ試料分配システム１００。【選択図】図１
2018096981.tif 000002
【特許請求の範囲】
【請求項１】
ラボラトリ試料分配システム（１００）であって、
−  １つまたは複数の試料容器（１４５）を搬送するように構成されたいくつかの試料容器キャリア（１４０）であって、それぞれの試料容器キャリア（１４０）が、少なくとも１つの磁気的に活性な装置（１４１）を備える試料容器キャリア（１４０）と、
−  前記試料容器キャリア（１４０）を支持するように構成された移送面（１１０）と、
−  前記移送面（１１０）の下に静置されたいくつかの電磁作動装置（１２０）であって、前記電磁作動装置（１２０）が、前記試料容器キャリア（１４０）に磁力を加えることにより、前記移送面（１１０）の上部上の前記試料容器キャリア（１４０）を動かすように構成された電磁作動装置（１２０）と、
−  回転装置（１３０）であって、
−  回転面（１３１）と、
−  前記回転面（１３１）の回転運動を引き起こすように構成された回転駆動装置（１３２）と、を備える回転装置（１３０）と、
−  回転されるべき試料容器キャリア（１４０）が前記回転面（１３１）上に動くように前記電磁作動装置（１２０）を駆動し、前記試料容器キャリア（１４０）の回転を引き起こすように前記回転駆動装置（１３２）を制御するように構成される、制御装置（１５０）と、
を備える、ラボラトリ試料分配システム（１００）。
【請求項２】
−  前記回転面（１３１）の高さおよび前記移送面（１１０）の高さが同一であることを特徴とする、
請求項１に記載のラボラトリ試料分配システム（１００）。
【請求項３】
−  前記回転装置（１３０）が、回転式プレート（１３３）を備え、
−  前記回転式プレート（１３３）のある側面が、前記回転面（１３１）を形成し、
−  前記回転駆動装置（１３０）が、前記回転式プレート（１３１）の回転運動を引き起こすように構成されることを特徴とする、
請求項１または２に記載のラボラトリ試料分配システム（１００）。
【請求項４】
−  前記移送面（１１０）が、凹所（１８０）を備え、
−  前記回転式プレート（１３３）が、前記凹所（１８０）内に配置されることを特徴とする、
請求項３に記載のラボラトリ試料分配システム（１００）。
【請求項５】
−  前記回転式プレート（１３３）が、異方性の磁気特性を有する磁気的に活性な装置（１９０）を備えることを特徴とする、
請求項３または４に記載のラボラトリ試料分配システム（１００）。
【請求項６】
−  前記電磁作動装置（１２０）が、強磁性コア（１２１）を備え、
−  前記強磁性コア（１２１）のうちの少なくとも１つが、上側の垂直位置と下側の垂直位置の間で垂直に移動可能であり、
−  前記上側の垂直位置では、前記垂直に移動可能な強磁性コア（１２１）の上面が、前記垂直に移動可能な強磁性コア（１２１）の上方に配置された前記試料容器キャリア（１４０）に接触し、
−  前記垂直に移動可能な強磁性コア（１２１）の前記上面が、前記回転面（１３１）を形成し、
−  前記回転駆動装置（１３２）が、前記垂直に移動可能な強磁性コア（１２１）の回転運動を引き起こすように構成されることを特徴とする、
請求項１または２に記載のラボラトリ試料分配システム（１００）。
【請求項７】
−  前記垂直に移動可能な強磁性コア（１２１）の上方に配置された試料容器キャリア（１４０）の前記磁気的に活性な装置（１４１）、および／または前記回転駆動装置（１３２）、および／または電磁作動装置（１２０）が、前記垂直に移動可能な強磁性コア（１２１）を、前記上側の垂直位置から前記下側の垂直位置へ動かすように構成され、かつ／または前記垂直に移動可能な強磁性コア（１２１）を、前記下側の垂直位置から前記上側の垂直位置へ動かすように構成されることを特徴とする、
請求項６に記載のラボラトリ試料分配システム（１００）。
【請求項８】
−  前記回転面（１３１）と前記回転面に配置された前記試料容器キャリア（１４０）の１つの面が、確実な連結または摩擦式の連結を形成することを特徴とする、
請求項１から７のいずれか一項に記載のラボラトリ試料分配システム（１００）。
【請求項９】
−  回転されるべき前記試料容器キャリア（１４０）によって保持される試料容器（１４５）に配置されたバーコードラベル（１６１）をスキャンするように構成されたバーコードスキャニングユニット（１６０）を備え、
−  前記バーコードラベル（１６１）が、前記バーコードスキャニングユニット（１６０）によって読取り可能であるように、前記制御装置（１５０）が、前記回転面（１３１）の回転運動を引き起こすように構成される、
請求項１から８のいずれか一項に記載のラボラトリ試料分配システム（１００）。
【請求項１０】
−  いくつかのラボラトリステーション（２０、３０）と、
−  請求項１から９のいずれか一項に記載のラボラトリ試料分配システム（１００）であって、前記試料容器（１４５）を前記ラボラトリステーション（２０、３０）間で分配するように構成される、ラボラトリ試料分配システム（１００）と、を備える、
ラボラトリオートメーションシステム（１０）。
【発明の詳細な説明】
【技術分野】
【０００１】
本発明は、ラボラトリ試料分配システムおよびラボラトリオートメーションシステムに関する。
【背景技術】
【０００２】
周知のラボラトリ試料分配システムは、通常は、試料容器に収容された試料を様々なラボラトリステーション間で移送するために、ラボラトリオートメーションシステムで使用される。
【０００３】
典型的なラボラトリ試料分配システムが、文書ＷＯ２０１３／０６４６５６Ａ１で開示されている。このようなラボラトリ試料分配システムは、高い処理能力および信頼性の高い動作を提供する。
【０００４】
米国特許第９２４８９８２（Ｂ２）号は、試料容器を移送するための移送システムを開示し、試料容器は、基部が車輪である試料容器キャリアに配置される。
ＷＯ２０１３／０９８２０２Ａ１は、平面モータの形をとる駆動手段を備える、試料または試薬用の移送システムを開示する。
【０００５】
ラボラトリオートメーションシステムの分析前ステーション、分析ステーション、および／または分析後ステーションの間で、試料容器を受け取り、保持し、移送するための典型的な試料容器キャリアが、ＤＥ１０２０１４２０２８３８Ｂ３に示される。
【０００６】
ＷＯ２０１６／０１２５１７Ａ１は、移送面上で、磁力によって試料容器を移送するための試料容器キャリアを開示する。
ラボラトリ試料分配システムによって分配される試料容器は、その試料容器に収容された試料を識別するために、バーコードまたは他の識別タグを含んでもよい。このような識別タグは、光学的認識装置、たとえばバーコードリーダまたはカメラによって読み出されてもよい。
【先行技術文献】
【特許文献】
【０００７】
【特許文献１】ＷＯ２０１３／０６４６５６Ａ１
【特許文献２】米国特許第９２４８９８２（Ｂ２）号
【特許文献３】ＷＯ２０１３／０９８２０２Ａ１
【特許文献４】ＤＥ１０２０１４２０２８３８Ｂ３
【特許文献５】ＷＯ２０１６／０１２５１７Ａ１
【発明の概要】
【発明が解決しようとする課題】
【０００８】
しかし、識別タグは、普通は試料容器の周囲全体にわたって広がっていないので、特定の状況では、このような識別タグを読み取るのは複雑であることが判明した。試料容器は、通常はラボラトリ試料分配システムの移送面上で自由に回転できるので、識別タグを読み取るために試料容器がある位置に配置されるとき、読取り装置が、識別タグの十分な部分を識別できない可能性がある。
【０００９】
本発明の目的は、試料容器の識別タグの十分な部分を識別するためのラボラトリ試料分配システムおよびラボラトリオートメーションシステムを提供することである。
【課題を解決するための手段】
【００１０】
本発明は、請求項１に記載のラボラトリ試料分配システムおよび請求項１０に記載のラボラトリオートメーションシステムを提供することによって、この目的に対処する。
ラボラトリ試料分配システムは、いくつかの試料容器キャリアを備える。試料容器キャリアの数は、たとえば１から１，０００，０００までの範囲の数でもよい。
【００１１】
試料容器キャリアは、１つまたは複数の試料容器を搬送し、かつ／または保持し、かつ／または収納するように構成される。試料容器は、通常は、ガラスまたは透明なプラスチックでできた管として設計され、通常は上端に開口を有する。ラボラトリ試料容器を使用して、血液試料、漿液（血清）（原語では“(blood) serum”）または血漿試料、尿試料、分離用ゲル、凝血塊（cruor：血餅とも）（血液細胞（blood cells））、化学試料などのラボラトリ試料を収容し、収納し、移送してもよい。試料容器は、回転対称でもよい。
【００１２】
それぞれの試料容器キャリアは、少なくとも１つの磁気的に活性な装置を備える。磁気的に活性な装置は、永久磁石または電磁石でもよい。
ラボラトリ試料分配システムは、試料容器キャリアを支持または搬送するように構成された移送面をさらに備える。移送面は平面でもよく、試料容器キャリアは、移送面の上部上に配置される。
【００１３】
ラボラトリ試料分配システムは、いくつかの電磁作動装置をさらに備える。電磁作動装置の数は、たとえば１から１，０００，０００までの範囲の数でもよい。
電磁作動装置は、移送面の下で、たとえば格子を形成する行と列に静置される。電磁作動装置は、強磁性コアを有するコイルでもよい。コイルは、磁界を発生させるように構成されてもよい。電磁作動装置によって発生した磁界は、移送面を貫いてもよい。磁界は、試料容器キャリアの磁気的に活性な装置の磁界と相互作用してもよい。試料容器キャリアに加えられる磁力は、この磁界の相互作用の結果である場合がある。磁力により、試料容器キャリアは、移送面上を摺動し、かつ／または動くことができる。このように、電磁作動装置は、試料容器キャリアの磁気的に活性な装置に磁力を加えることによって、移送面の上部上で試料容器キャリアを動かすように構成される。
【００１４】
ラボラトリ試料分配システムは、回転装置をさらに備える。回転装置は、回転面を備える。回転面は、円形の面でもよい。回転面は、寸法において移送面の寸法に比べて小さくてもよい。回転面は、特定の側面、たとえば回転式の要素の上側として具現化されてもよい。回転式の要素は、回転可能に取付けられてもよい。回転装置は、回転面の回転運動を引き起こすように構成された回転駆動装置をさらに備える。回転駆動装置は、電動モータまたは空気圧モータでもよい。追加的に、または別法として、移送面の下に配置された電磁作動装置が、回転駆動装置を形成してもよい。
【００１５】
ラボラトリ試料分配システムは、制御装置、たとえばパーソナルコンピュータまたはマイクロプロセッサベースの制御装置の形をとる制御装置をさらに備える。制御装置は、電磁作動装置を駆動するように構成される。それぞれの試料容器キャリアは、駆動された電磁作動装置に応答して、経路に沿って動いてもよい。試料容器キャリアの経路は、個別の経路でもよい。制御装置は、回転されるべき試料容器キャリアが回転面へ移動するように、電磁作動装置を駆動するように構成される。制御装置は、試料容器キャリアの回転が引き起こされるように、回転駆動装置をさらに制御するように構成される。
【００１６】
回転面の寸法は、回転されるべき試料容器キャリアのフットプリントに比べて大きくてもよい。回転面は、回転されるべき試料容器キャリアを支持し、または搬送するように構成されてもよい。回転されるべき試料容器キャリアは、回転面の上方（above）または上部上（on the top）に配置されてもよい。回転面上に配置されるとき、試料容器キャリアは、搬送される試料容器と共に回転する。
【００１７】
一実施形態では、回転面の（垂直の）高さおよび移送面の高さは同一である。高さは、同一の基準点を有する高度でもよい。回転面および移送面の高さが同一であることにより、回転されるべき試料容器キャリアが回転面へ動くとき、試料容器キャリアが傾くのを防止することができる。
【００１８】
一実施形態では、回転装置は、回転式プレートを備える。回転式プレートは、円筒形でもよい。回転式プレートの上側は、回転面を形成してもよい。回転式プレートの上側は、回転式プレートの接面であってもよい。回転駆動装置は、回転式プレートの回転運動を引き起こすように構成される。回転駆動装置によって生じて回転式プレートに加えられる力によって、回転運動が引き起こされ得る。力は、確実な連結（positive connection）または摩擦式の連結を介して、回転式プレートに加えられてもよい。
【００１９】
一実施形態では、移送面は、凹所を備える。凹所は、円形の形状を有してもよい。回転式プレートは、凹所の内部に配置されてもよい。回転式プレートは、凹所の内部に、回転可能に配置されてもよい。凹所および移送面を画定する要素は、１つの部品でもよい。
【００２０】
一実施形態では、回転式プレートは、異方性の磁気特性、好ましくは異方性磁界を有する、磁気的に活性な装置を備える。外部で発生した磁界が、回転式プレートに配置された磁気的に活性な装置の磁界と相互作用することによって、回転力が発生する。回転式プレートに配置された磁気的に活性な装置は、永久磁石、たとえば棒磁石、または強磁性の材料として具現化されてもよい。
【００２１】
一実施形態では、電磁作動装置は、それぞれの強磁性コアを備える。強磁性コアは、強磁性の材料でできた円柱形のものとして具現化されてもよい。強磁性コアの少なくとも１つは、上側の垂直位置と下側の垂直位置との間で垂直に移動可能に配置される。下側の垂直位置では、垂直に移動可能な強磁性コアは、移送面の下に位置してもよい。上側の垂直位置では、垂直に移動可能な強磁性コアの上面が、垂直に移動可能な強磁性コアの上に配置された試料容器キャリアの底面に接触する。下側の垂直位置では、垂直に移動可能な強磁性コアの上面は、通常は、試料容器キャリアの底面に接触しない。垂直に移動可能な強磁性コアの上面は、回転面を形成する。上面は、円柱の形状を有する垂直に移動可能な強磁性コアの上側でもよい。
【００２２】
回転駆動装置は、垂直に移動可能な強磁性コアの回転運動を引き起こすように構成される。回転駆動装置は、垂直に移動可能な強磁性コアと機能的に連結してもよい。回転駆動装置は、垂直に移動可能な強磁性コアに力を加えることができ、この力は、垂直に移動可能な強磁性コアの回転を引き起こし得る。
【００２３】
一実施形態では、垂直に移動可能な強磁性コアの上方に配置された試料容器キャリアの磁気的に活性な装置および／または回転駆動装置および／または電磁作動装置は、垂直に移動可能な強磁性コアを、上側の垂直位置から下側の垂直位置へ動かすように構成され、および／または、これ／これらは、垂直に移動可能な強磁性コアを、下側の垂直位置から上側の垂直位置へ動かすように構成される。垂直に移動可能な強磁性コアの運動は、磁界と強磁性コアの強磁性の材料との相互作用から生じる力によって引き起こされてもよい。制御装置は、垂直に移動可能な強磁性コアの運動を制御し、かつ／または開始するように構成されてもよい。
【００２４】
一実施形態では、回転面とその回転面に配置される試料容器キャリアの１つの面は、確実な連結または摩擦式の連結を形成する。この確実な連結または摩擦式の連結により、試料容器キャリアの回転運動の最初および／または最後に、試料容器キャリアが滑ることを防止することができる。
【００２５】
一実施形態では、ラボラトリ試料分配システムは、バーコードスキャニングユニットをさらに備える。このバーコードスキャニングユニットは、回転されるべき試料容器キャリアによって保持される試料容器に配置されるバーコードラベルをスキャンするように構成される。制御装置は、バーコードラベルがバーコードスキャニングユニットによって読取り可能であるように、回転面の回転運動を引き起こし、その結果として、回転面に配置され、スキャンされるべきバーコードラベルを有する試料容器を保持する試料容器キャリアの回転運動を引き起こすように構成される。回転面は、回転されるべき試料容器キャリアを回転させてもよい。バーコードスキャニングユニットは、試料容器キャリアの回転運動中に、バーコードラベルをスキャンするように構成されてもよい。バーコードは、移送されるべき試料容器キャリアの移動先を決定することができ、かつ／または試料容器に収容された試料に関連する情報を含むことができる。
【００２６】
ラボラトリオートメーションシステムは、上述のラボラトリ試料分配システムを備える。ラボラトリオートメーションシステムは、いくつかのラボラトリステーションをさらに備える。ラボラトリステーションの数は、たとえば、１から１００の範囲の数でもよい。
【００２７】
ラボラトリステーションは、たとえば、分析前ステーション、分析ステーションおよび／または分析後ステーションでもよい。
分析前ステーションは、試料および／またはラボラトリ試料容器の、任意の種類の前処理を実施するように構成されてもよい。
【００２８】
分析ステーションは、試料またはその試料の一部および／または試薬を使用して、測定信号を生成するように構成されてもよく、この測定信号は、分析物の有無およびその濃度を示す。
【００２９】
分析後ステーションは、試料および／または試料容器の、任意の種類の後処理を実施するように構成されてもよい。
分析前ステーション、分析ステーションおよび／または分析後ステーションは、キャップ取外しステーション、キャップ再取付けステーション、分取ステーション、遠心分離ステーション、記録保管ステーション、ピペッティングステーション、選別ステーション、管タイプ識別ステーション、試料品質判定ステーション、付加バッファステーション、液面高さ検知ステーション、封止／開封ステーションのうち、少なくとも１つを備えてもよい。
【００３０】
ラボラトリ試料分配システムは、ラボラトリステーション間で試料容器を分配するように構成される。ラボラトリ試料分配システムは、スキャンされたバーコードラベルに応答して、試料容器をラボラトリステーション間で分配するように構成されてもよい。
【００３１】
本発明は、本発明の実施形態を概略的に示す図面に関連して、詳細に述べられる。図面を通じて、同じ要素は同じ参照符号で示される。
【図面の簡単な説明】
【００３２】
【図１】回転式プレートを備える第１の実施形態によるラボラトリ試料分配システムの概略図である。
【図２】垂直に移動可能な強磁性コアを有する電磁作動装置を備えた別の実施形態によるラボラトリ試料分配システムの概略図である。
【図３】垂直に移動可能な強磁性コアを備える図２の電磁作動装置を、より詳細に示す概略図である。
【図４】別の実施形態によるラボラトリ試料分配システムの概略図である。
【図５】試料分配システムを備えるラボラトリオートメーションシステムの概略図である。
【発明を実施するための形態】
【００３３】
図１は、いくつかの試料容器キャリア１４０を備えるラボラトリ試料分配システム１００を概略的に示す図である。説明のために、試料容器キャリア１４０の個数の代表として、３つだけの試料容器キャリア１４０が示されている。試料容器キャリア１４０の数は、たとえば、１０から１０，０００の範囲の数でもよい。それぞれの試料容器キャリア１４０は、永久磁石の形をとる磁気的に活性な装置１４１を備える。さらに、それぞれの試料容器キャリア１４０は、試料容器１４５を保持する。バーコードラベル１６１が、それぞれの試料容器１４５に配置される。
【００３４】
試料容器キャリア１４０は、ラボラトリ試料分配システム１００の一部である平坦な移送面１１０に配置される。試料容器キャリア１４０は、移送面１１０を／移送面１１０上を摺動し、かつ／または動くように構成される。さらに、いくつかの、または複数の電磁作動装置１２０が、移送面１１０の下に静置される。電磁作動装置１２０は、試料容器キャリア１４０の永久磁石１４１に磁力を引き起こす磁界を発生させるように構成される。試料容器キャリア１４０は、この磁力の結果として、移送面１１０を／移送面１１０上を動く／摺動する。
【００３５】
磁界の発生、およびそれに従う磁力の発生は、制御装置１５０によって制御される。制御装置１５０は、それぞれの試料容器キャリア１４０が個別の経路で摺動するように電磁作動装置１２０を駆動するように構成され、この経路は、制御装置１５０によって計画され、かつ／または制御される。
【００３６】
試料分配システム１００は、バーコードスキャニングユニット１６０をさらに備える。バーコードスキャニングユニット１６０は、各試料容器１４５に配置されたバーコードラベル１６１をスキャンするように構成される。バーコードラベル１６１をスキャンするために、制御装置１５０は、スキャンされるべきバーコードラベル１６１を有する試料容器１４５を備える試料容器キャリア１４０が、回転装置１３０の回転式プレート１３３上へ摺動するように、電磁作動装置１２０を駆動する。回転式プレート１３３および移送面１１０は、試料容器キャリア１４０が移送面１１０から回転式プレート１３３上に摺動するとき、これが傾くのを防止するために、同一の高さを有する。
【００３７】
試料容器キャリア１４０が回転面１３１に配置されるとき、制御装置１５０は、回転駆動装置１３２を制御して、試料容器キャリア１４０を回転させる。試料容器キャリア１４０の回転中、バーコードスキャニングユニット１６０は、繰り返し、バーコードラベル１６１を読み取ろうと試みる。バーコードラベル１６１が正常に読み取られたとき、バーコードスキャニングユニット１６０は、読み取ったバーコードを制御装置１５０へ伝達し、制御装置１５０は、回転面１３１を回転させるのを止める。次いで、制御装置１５０は、試料容器キャリア１４０が回転式プレート１３３から離れるように、電磁作動装置１２０を駆動する。
【００３８】
図２は、ラボラトリ試料分配システム１００の別の実施形態を示す。ラボラトリ試料分配システム１００は、円柱形の貫通孔１２５を有する移送面１１０を備える。貫通孔１２５は、電磁作動装置１２０の垂直に移動可能な円柱形の強磁性コア１２１に対して、同心円状に配置される。貫通孔１２５の直径は、試料容器キャリア１４０のそれぞれの台の直径よりも小さく、したがって、試料容器キャリア１４０は、開口１２５上を摺動しかつ／または動く。しかし、貫通孔１２５の直径は、垂直に移動可能な強磁性コア１２１の直径よりも大きく、したがって、垂直に移動可能な強磁性コア１２１は、移送面１１０を貫通することができる。
【００３９】
図３は、図２の貫通孔１２５の下に配置された電磁作動装置１２０を、より詳細に示す。電磁作動装置１２０は、垂直に移動可能な強磁性コア１２１およびコイル１２２を備える。垂直に移動可能な強磁性コア１２１は、コイル１２２によって囲われる。コイル１２２は、強磁性コア１２１を径方向に固定する働きをする。垂直に移動可能な強磁性コア１２１の前側または上側は、回転面１３１を形成する。
【００４０】
垂直に移動可能な強磁性コア１２１は、回転駆動装置１３２が、強磁性コア１２１の回転を引き起こすことができるように、回転駆動装置１３２と機能的に連結される。
垂直に移動可能な強磁性コアの上方に配置された試料容器キャリア１４０の磁気的に活性な装置１４１は、垂直に移動可能な強磁性コア１２１を、下側の垂直位置から上側の垂直位置への運動を引き起こす。垂直に移動可能な強磁性コア１２１に付与されたコイル１２２は、作動されるとき、垂直に移動可能な強磁性コア１２１が、上側の垂直位置から下側の垂直位置へ戻る運動を引き起こす、その結果、垂直に移動可能な強磁性コア１２１は、必要なときに、その下側の垂直位置と上側の垂直位置との間で移行することができる。
【００４１】
下側の垂直位置では、回転面１３１は、移送面１１０の下に位置する。上側の垂直位置では、回転面１３１は、開口１２５を通過し、上方に配置された試料容器キャリア１４０の底に接触する。
【００４２】
封止材１７０が、貫通孔１２５と、垂直に移動可能な強磁性コア１２１との間に配置されてもよい。封止材１７０は、移送面１１０と移動可能な強磁性コア１２１の間の間隙を物体が通過するのを防止する。封止材１７０は、たとえば、ギャップシール、ラビリンスシール、または互いにかみ合う形のものでもよい。
【００４３】
バーコードラベル１６１をスキャンするために、第１のステップでは、垂直に移動可能な強磁性コア１２１は、下側の垂直位置にあり、制御装置１５０は、スキャンされるべきバーコードラベル１６１を有する試料容器１４５を搬送する試料容器キャリア１４０が、貫通孔１２５の上方へ摺動するように、電磁作動装置１２０を駆動する。
【００４４】
試料容器キャリア１４０の磁気的に活性な装置１４１は、垂直に移動可能な強磁性コア１２１を、上側の垂直位置まで垂直な運動を引き起こす。
上側の垂直位置では、垂直に移動可能な強磁性コア１２１は、摩擦クラッチのように、試料容器キャリア１４０の底面に接触する。
【００４５】
制御装置１５０は、次いで、回転駆動装置１３２を制御することによって、垂直に移動可能な強磁性コア１２１の回転運動を開始する。
次いで、バーコードスキャニングユニット１６０は、垂直に移動可能な強磁性コア１２１の回転運動中に、バーコードラベル１６１を読み取る。バーコードラベル１６１が正常に読み取られたとき、バーコードスキャニングユニット１６０は、読み取ったバーコードを、制御装置１５０に伝達する。制御装置１５０は、バーコードラベルが正常に読み取られた後、垂直に移動可能な強磁性コア１２１の回転運動が止まるように、回転駆動装置１３２を制御するように構成される。
【００４６】
次いで、制御装置１５０は、垂直に移動可能な強磁性コア１２１の、下側の垂直位置へ戻る運動を開始する。
さらに、制御装置１５０は、試料容器キャリア１４０が貫通孔１２５から離れるように、電磁作動装置１２０を駆動する。
【００４７】
進歩的なラボラトリ試料分配システム１００の別の実施形態が、図４に示される。ラボラトリ試料分配システム１００は、凹所１８０を有する移送面１１０を備える。回転式プレート１３３は、凹所１８０内に、回転可能に挿入される。回転式プレート１３３は、異方性磁界を有する棒磁石の形をとる磁気的に活性な装置１９０を備える。この棒磁石は、水平方向、すなわち、移送面１１０に対して平行に延在する。
【００４８】
回転式プレート１３３は、磁気的に活性な装置１９０の磁界と、電磁作動装置１２０の磁界の相互作用から生じる磁力によって回転される。回転式プレート１３３は、磁気的に活性な装置１９０を含めて、電動モータのロータを形成する。電磁作動装置１２０は、電動モータのステータを形成する。電磁作動装置１２０は、回転磁界を引き起こすように制御され、ロータは、この回転磁界に従って回転する。言い換えれば、電磁作動装置１２０および回転式プレート１３３は、同期モータを形成する。
【００４９】
回転式プレート１３３は、試料容器キャリア１４０の底面に、摩擦クラッチのように接触してもよい。
バーコードスキャニングユニット１６０によってバーコードラベル１６１をスキャンするために、制御装置１５０は、スキャンされるべきバーコードラベル１６１を有する試料容器１４５を備える試料容器キャリア１４０が、回転式プレート１３３上に摺動するように、電磁作動装置１２０を駆動する。次いで、制御装置１５０は、回転式プレート１３３が回転するように、電磁作動装置１２０を駆動する。次いで、バーコードスキャニングユニット１６０は、すでに図１〜３に関連して述べたように、回転装置１３０の回転運動中に、バーコードラベル１６１をスキャンする。
【００５０】
図５は、２つのラボラトリステーション２０および３０を備えるラボラトリオートメーションシステム１０を概略的に示す図である。ラボラトリステーション２０および３０は、試料容器１４５に備えられた試料を処理する。
【００５１】
たとえば、ラボラトリステーション２０は尿検査を実施し、ラボラトリステーション３０は血液分析を実施する。ラボラトリオートメーションシステム１０は、たとえば図１〜４に示されたような試料分配システム１００をさらに備える。
【００５２】
試料分配システム１００は、試料容器１４５をラボラトリステーション２０と３０の間で分配するように構成される。ラボラトリステーション２０と３０の間の分配は、試料容器１４５に配置された、スキャンされたバーコードラベル１６１に応答してなされる。分配は、制御装置１５０によって制御されてもよい。
【図１】
2018096981.tif 000003
【図２】
2018096981.tif 000004
【図３】
2018096981.tif 000005
【図４】
2018096981.tif 000006
【図５】
2018096981.tif 000007
【外国語明細書】
2018096981000001.pdf